(57)【特許請求の範囲】
【請求項１】
ネットワークを介して、医療用酸素ボンベを使用する患者の患者端末と、前記使用の承認者の承認者端末と、前記医療用酸素ボンベの供給者の供給者端末とに接続され、前記医療用酸素ボンベのレンタルを希望する予め登録された前記患者に対して前記レンタルの手配を行う医療用酸素ボンベのレンタル用のサーバシステムであって、
前記サーバシステムは、前記登録された患者の登録情報であって、少なくとも当該患者の識別情報と前記承認者の識別情報を含む登録情報を格納する患者情報ＤＢと、少なくとも希望引渡場所を含む、前記患者からの前記医療用酸素ボンベの供給要求に関する情報を格納するレンタル情報ＤＢを有し、
前記患者端末から前記ネットワークを介して送信される前記供給要求に関する情報を受信して、当該受信した情報に含まれる当該患者の識別情報が前記患者情報ＤＢに格納されているか否かを確認して、当該患者が前記予め登録された患者であるか否かを判断し、
前記識別情報が前記患者情報ＤＢに格納されている場合に当該患者が前記予め登録された患者であると判断し、当該患者に対応して前記患者情報ＤＢに格納されている前記承認者の識別情報に基づいて当該患者を担当する前記承認者を特定し、当該承認者の承認者端末に、前記供給要求に基づく前記医療用酸素ボンベの供給に対する承認を求める情報を、前記ネットワークを介して送信し、
前記承認を求める情報の送信に対して前記承認者端末から前記ネットワークを介して返信される前記医療用酸素ボンベの供給を承認する旨の情報を受信して、前記レンタル情報ＤＢに格納され、当該患者からの前記供給要求に関する情報に含まれる前記希望引渡場所に基づいて、前記供給要求に対して前記医療用酸素ボンベを提供する供給者を、当該希望引渡場所を担当する前記供給者に決定し、当該供給者の供給者端末に、前記レンタル情報ＤＢに格納される当該供給要求に関する情報を送信して、当該供給要求に基づく医療用酸素ボンベの供給を指示する
ことを特徴とする医療用酸素ボンベのレンタル用のサーバシステム。
【請求項２】
請求項１において、
前記承認者端末への送信と前記供給者端末への送信が、電子メールを用いて行われる
ことを特徴とする医療用酸素ボンベのレンタル用のサーバシステム。
【請求項３】
請求項１あるいは２において、
携帯電話である前記患者端末から前記供給要求に関する情報を受信する
ことを特徴とする医療用酸素ボンベのレンタル用のサーバシステム。
【請求項４】
請求項１乃至３のいずれかにおいて、
前記供給者端末に前記医療用酸素ボンベの検査装置が接続され、
前記供給者端末が受信する前記検査装置における検査結果のデータに基づく、当該検査結果に関する情報を、前記供給者端末から受信する
ことを特徴とする医療用酸素ボンベのレンタル用のサーバシステム。
【発明の詳細な説明】
【０００１】
【発明の属する技術分野】
本発明は、在宅酸素療法を受ける患者に所定のガスが充填された医療用酸素ボンベを提供する医療用酸素ボンベのレンタル方法に関し、特に、レンタル時の手続きが効率的に行われると共に、患者の利便性を向上させることができる医療用酸素ボンベのレンタル方法等に関する。
【０００２】
【従来の技術】
在宅酸素療法を受ける患者は、通常、外出時などのために、所定のガスが充填された医療用酸素ボンベが必要であり、担当医師等、承認者の承認の下、前記医療用酸素ボンベをレンタルする医療用酸素供給会社などから前記医療用酸素ボンベの提供を受けている。従来、この医療用酸素ボンベのレンタルは、以下のような手順で行われていた。
【０００３】
まず、上記患者は、医療用酸素ボンベが必要となった時に、当該患者宅の地域を担当する前記医療用酸素供給会社などの営業所に電話をし、ボンベを提供して欲しい旨の依頼を行う。依頼を受けた当該営業所の担当者は、患者の担当医師を確認の上、その医師に連絡を取り、当該患者に依頼されている内容のボンベの供給を行っても良いか問い合わせる。なお、ボンベ供給の承認は、医師のほか看護婦や前記医療用酸素供給会社の担当者が行う場合もある。医師等からボンベの供給について承認を得られれば、所定のボンベとその配送の手配をし、酸素濃度のチェックなどの検査をした後に、前記患者宅へボンベを配送する。配送時には、必要であれば、空となった患者宅のボンベの回収も行う。
【０００４】
また、患者宅に容量の大きい据え置き型のボンベを設置し、患者がそこから携帯型酸素ボンベに分けて使用する場合もある。この場合には、据え置き型のボンベが空になった時に、患者が前記医療用酸素供給会社に連絡し、上述した担当医師等の承認を受けて、前記据え置き型ボンベへのガスの充填を受ける。
【０００５】
従来は、医療用酸素ボンベの患者へのレンタルが、以上のような手順で行われていた。
【０００６】
【発明が解決しようとする課題】
しかしながら、従来の医療用酸素ボンベのレンタル方法では、患者から依頼を受けた前記医療用酸素供給会社等の担当者は、担当医師等への連絡、ボンベの準備、及び配送の手配などを行う必要があり、作業が煩雑であった。また、ボンベのレンタルに対する課金や今後のレンタルのために、ボンベの提供毎にレンタルに関する情報を記録しておく必要があり、前記担当者は、前記情報の伝票への記載やコンピュータシステムへの入力を行う必要があり、これらの作業にも手間を要する上に、記載ミスや入力ミスが起こる可能性もあった。
【０００７】
一方、患者側も、前記担当者が不在の場合には、直ぐにボンベのレンタルを依頼できないという不便さがあった。また、旅行をする場合などには、旅行中などに必要となる分を予想し、前もってその分のボンベを依頼して配送してもらっておく必要があった。従って、旅行中に必要なボンベを全部携帯する必要があり、予定が変更された場合などには、容易に対応することができなかった。
【０００８】
そこで、本発明の目的は、在宅酸素療法を受ける患者に所定のガスが充填された医療用酸素ボンベをレンタルする際に、レンタル手続きを効率化でき、かつ患者の利便性を向上できる医療用酸素ボンベのレンタル方法及びそれを用いたレンタルシステムを提供することである。
【０００９】
【課題を解決するための手段】
上記の目的を達成するために、本発明の一つの側面は、ネットワークに接続されたサーバが、携帯電話等の端末装置から送信される患者からのボンベのレンタル要求に応答して、当該患者が予め登録された患者であるか否かの確認を行い、登録された患者である場合には、当該患者の承認者の端末装置へレンタルの承認を得るための情報を送信し、承認する旨の返信が得られれば、前記レンタル要求で指示された場所を担当するボンベ供給者（営業所等）の端末装置へレンタルを指示する情報を送信することである。従って、本発明によれば、患者からのレンタル要求の受付、承認を得るための医師等への連絡、及び営業所等への連絡などが自動的に行われ、また、レンタルに関する情報の多くの部分がレンタル手続きの過程でデジタルデータとして記録されるので、前記医療用酸素供給会社等のレンタル時の手間を削減することができる。また、患者にとっても、担当者に連絡が取れるか否かに関わらずいつでもレンタルの依頼ができ、さらに、希望した場所でボンベの提供が受けられるので、利便性が向上し、特に旅行中などには便利である。
【００１０】
更に、上記の発明において、その好ましい態様は、前記サーバが、更に、前記供給者端末から送信される前記レンタル要求に基づく医療用酸素ボンベの供給が完了した旨の情報に応答して、当該医療用酸素ボンベのレンタルに対する課金の処理を実行することを特徴とする。
【００１１】
更に、上記の発明において、別の態様は、前記サーバが行う情報の送信が、電子メール及びＷｅｂページを用いて行われることを特徴とする。
【００１２】
本発明の更なる目的及び、特徴は、以下に説明する発明の実施の形態から明らかになる。
【００１３】
【発明の実施の形態】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００１４】
図１は、本発明を適用したボンベレンタルシステムの実施の形態例に係る構成図である。図のボンベレンタルシステム１が、本発明を適用したボンベレンタルシステムであり、インターネットなどのネットワーク３で互いに接続されたボンベレンタルサーバ２、供給者端末５、患者端末７、及び医師端末９で構成されている。
【００１５】
ボンベレンタルサーバ２は、患者６に医療用酸素ボンベを提供する前記医療用酸素供給会社等に設置されるパーソナルコンピュータやワークステーションなどのサーバシステムであり、医療用酸素ボンベのレンタルに関する情報を格納すると共に、それらを用いて、患者６からのレンタル要求の受付、医師８への連絡、及び供給者４へのボンベ供給の指示などを行う。
【００１６】
ここで、供給者４とは、実際に患者６に対してボンベの配送を行う前記医療用酸素供給会社等の各営業所等を意味し、供給者４は、供給者端末５を用いて前記ボンベレンタルサーバ２との情報の授受を行う。また、供給者端末５には、パーソナルコンピュータなどが用いられ、ネットワーク３を介して電子メールの送受信を行う機能やＷｅｂページの閲覧を行うためのブラウザなどが備えられている。なお、図１には示していないが、供給者４及び供給者端末５は、ボンベレンタルサーバ２に対して複数存在している。また、供給者端末５とボンベレンタルサーバ２を繋ぐネットワークを社内専用のものとして、図のネットワーク３と別にしても良い。
【００１７】
図の患者６は、医療用酸素ボンベを必要とする患者であり、患者端末７を用いてボンベのレンタル要求を行う。患者端末７としては、電子メールの送受信及びＷｅｂページへのアクセスが可能なパーソナルコンピュータや携帯電話などを用いることができ、患者６の自宅に設置されたり、患者６に携帯されている。また、本実施の形態例に係る医療用酸素ボンベのレンタルにおいては、予め登録された会員の患者６に対してのみボンベのレンタルが行われる方法を取っており、患者６は、ボンベの供給を受けるためには予め会員となっておく必要がある。なお、図１には示していないが、患者６及び患者端末７も、ボンベレンタルサーバ２に対して複数存在している。
【００１８】
また、医師８は、前記患者６の各担当医師を意味し、医師８の病院などに設置される医師端末９を用いて、ボンベレンタルサーバ２に対して、患者６へのボンベの供給について承認を行う。医師端末８には、電子メールの送受信及びＷｅｂページへのアクセスが可能なパーソナルコンピュータなどが用いられる。なお、医師８及び医師端末９も、ボンベレンタルサーバ２に対して複数存在している。また、ここでは、患者へのボンベ供給を医師が承認するものとしているが、前述したように、かかる承認者は、看護婦等ほかの者であっても構わない。
【００１９】
次に、ボンベレンタルサーバ２は、図１に示すように、Ｗｅｂサーバ２１、メールサーバ２２、患者情報ＤＢ２３、及びレンタル情報ＤＢ２４を有している。Ｗｅｂサーバ２１には、患者６の会員登録、医師８による承認、及び供給者４へのレンタル情報の提供などを行うための各Ｗｅｂページが準備されており、これらのＷｅｂページを介して、供給者端末５、患者端末７、及び医師端末９と情報の授受を行う。
【００２０】
メールサーバ２２は、ネットワーク３を介してボンベレンタルサーバ２が送受信する電子メールの管理を行うサーバであり、前記Ｗｅｂサーバ２１と連動して、供給者端末５、患者端末７、及び医師端末９との間で情報の授受を行う。
【００２１】
患者情報ＤＢ２３は、会員となった患者６の各種登録情報を格納するデータベースである。図２の（Ａ）は、患者情報ＤＢ２３に格納される情報の一例を示した図である。図に示すように、会員となった患者６には、患者ＩＤ（図のａ部）が与えられ、この患者ＩＤとパスワード（図のｂ部）によって、後述するレンタル要求時の認証が行われる。また、このデータベースには、担当医師８（図のｃ部）やレンタル費用の支払方法（図のｄ部）の情報なども収められている。
【００２２】
また、レンタル情報ＤＢ２４は、ボンベのレンタルに関する各種情報を、レンタルの案件毎に収めたデータベースである。図２の（Ｂ）は、レンタル情報ＤＢ２４に格納される情報の一例を示した図である。図に示すように、患者６からのレンタル要求に対しては、1件毎にレンタルＩＤが付され、レンタル要求に含まれる各種情報が格納される。例えば、患者ＩＤが10025の患者６から、○○型のボンベ２本を平成１３年２月２８日に自宅に配送して欲しい旨のレンタル要求があったことがわかる。また、各レンタル案件の情報には、要求の情報だけでなく、ボンベの配送前の検査、ボンベの配送、レンタル費用の支払（図２のｆ、ｇ、ｈ）などに関する情報も含まれている。
【００２３】
なお、図１には図示していないが、ボンベレンタルサーバ２には、以上説明したデータの他にも、医師８の連絡先や電子メールアドレスに関するデータや、各供給者４に関するデータなども収められている。
【００２４】
以上説明したような構成を有する本実施の形態例に係るボンベレンタルシステム１は、ボンベレンタルサーバ２が、患者６からのレンタル要求の受付、担当医師８からの承認の取得、及び適切な供給者４へのボンベ供給の指示等を自動で行うことにより、レンタル業務を効率的にし、かつ患者６の利便性を向上させようとするものである。
【００２５】
図３は、本実施の形態例に係るボンベレンタルシステム１におけるレンタル時の処理手順について例示したフローチャートである。以下、図３に基づいて、本ボンベレンタルシステム１の処理内容について説明する。
【００２６】
まず、患者６は、前述したとおり、ボンベのレンタルを受けるために会員となる必要があるため、患者端末７から入会の手続きをする（図３のステップＳ１）。具体的には、ネットワーク３を介して、ボンベレンタルサーバ２のＷｅｂサーバ２１が用意する入会用の前記Ｗｅｂページにアクセスし、当該Ｗｅｂページの指示に従った所定の操作により必要な登録情報（図２の（Ａ）に示した情報等）の入力を行う。入力された情報は、ボンベレンタルサーバ２によって、前記患者情報ＤＢ２３に格納され（図３のステップＳ２）、その患者６用の患者ＩＤが発行されて、そのＩＤが当該患者６にも知らされる。また、この手続きの中で、当該患者６用のパスワードも決定される。なお、この入会手続きは、基本的には一回行えば良く、レンタルを要求する度に行う必要はない。
【００２７】
入会手続きを完了し、会員となった患者６は、必要に応じて患者端末７からボンベの供給を依頼するレンタル要求を行う（図３のステップＳ３）。具体的には、ボンベレンタルサーバ２のレンタル要求用のＷｅｂページにアクセスし、患者ＩＤ、パスワード、供給希望日、必要なボンベとその本数、希望する引渡場所などの情報を入力する。なお、上記Ｗｅｂページにアクセスする方法でなく、レンタル要求に必要な上記情報を、ボンベレンタルサーバ２のメールサーバ２２が用意する所定のメールアドレスに電子メールで送信する方法で、レンタル要求を行えるようにしても良い。
【００２８】
ボンベレンタルサーバ２は、上記入力された情報を受けて、まず、レンタル要求をしてきた患者６の会員であることの認証を行う。具体的には、受取った患者ＩＤとパスワードが前記患者情報ＤＢ２３に登録されているか否かを確認する（図３のステップＳ４）。もし、登録されていない場合には（図３のステップＳ５のＮｏ）、当該患者６の患者端末７へ会員として登録されていない旨のメッセージを送信し（図３のステップＳ６）、前記入会手続きをすること、あるいは患者ＩＤなどの入力ミスが想定される場合には再度レンタル要求をすることを促す。
【００２９】
前記患者ＩＤとパスワードが登録されていれば（図３のステップＳ５のＹｅｓ）、会員からのレンタル要求であると判断し、当該患者６の担当医師８に対して、レンタルの承認を得るために要求されレンタルの情報を送信する（図３のステップＳ７）。具体的には、患者情報ＤＢ２３に収められている医師ＩＤ（図２のｃ）から担当医師８を特定し、その医師８の電子メールアドレスに対して上記レンタルの情報を電子メールで送信することにより行う。なお、ボンベレンタルサーバ２に、患者６から要求されているレンタルの情報を医師８に知らせるためのＷｅｂページを用意しておき、承認して欲しい旨のメッセージと当該医師８用のＷｅｂページのＵＲＬのみを載せた電子メールを医師８に送信し、医師８がそのＵＲＬにアクセスすることによって前記レンタルの情報が医師８に提供されるようにしてもよい。また、この医師８への情報の送信の際に、レンタル要求をしている患者６の過去のレンタルに関する履歴データを合わせて送るようにしても良い。この履歴データは、前記レンタル情報ＤＢ２４から患者ＩＤをキー項目として抽出される。
【００３０】
前記情報を受信した医師８は（図３のステップＳ８）、その情報と医師８側で保管している情報に基づいてそのレンタル要求を承認するか否かを判断し（図３のステップＳ９）、その結果を医師端末９からネットワーク３を介してボンベレンタルサーバ２へ返信する（図３のステップＳ１０）。かかる判断結果の送信は、ボンベレンタルサーバ２のメールサーバ２２に設けられた所定のアドレスに対して電子メールを送信する方法で行われてもよいし、前述した医師８用のＷｅｂページに対して入力する方法で行われてもよい。
【００３１】
次に、判断結果を受信したボンベレンタルサーバ２は、その判断結果に従って、レンタル要求が承認されなかった場合には（図３のステップＳ１１のＮｏ）、その旨のメッセージを当該患者６の患者端末７へ電子メールで送信する（図３のステップＳ１２）。レンタル要求が承認された場合には（図３のステップＳ１１のＹｅｓ）、ボンベレンタルサーバ２は、当該患者６に要求されたボンベを実際に提供する供給者４（営業所等）を決定する（図３のステップＳ１３）。
【００３２】
供給者４（営業所等）の決定は、患者６からのレンタル要求で示された希望場所（図２の例ではｅ部）に基づいて行われ、自宅を希望する場合には、その所在地を担当する供給者４（営業所等）に、直接営業所が希望されている場合にはその営業所に決定する。また、旅行中などの滞在先を住所等で指定している場合にも、その所在地を担当する供給者４（営業所等）に決定される。
【００３３】
供給者４（営業所等）が決定されると、ボンベレンタルサーバ２は、その供給者４の供給者端末５に、当該レンタル要求に関する情報を送信する（図３のステップＳ１４）。具体的には、各レンタル案件毎の各種情報、即ち前述したレンタル情報ＤＢ２４に格納されている情報（図２の（Ｂ）に示した情報等）、を供給者４に表示するためのＷｅｂページをＷｅｂサーバ２１に用意しておき、当該供給者４に、レンタル要求がありレンタルの実施をすべき旨のメッセージと当該供給者４用のＷｅｂページのＵＲＬのみを載せた電子メールを送信し、供給者４がこのＵＲＬにアクセスすることにより、前記レンタル要求に関する情報が供給者４に伝えられる。
【００３４】
自己が実施すべきレンタルの情報を受信した当該供給者４は（図３のステップＳ１５）、その情報に基づいて供給するボンベの手配をし（図３のステップＳ１６）、患者６に供給する前に酸素濃度や圧力について検査を行う（図３のステップＳ１７）。ここで、供給者４は、ボンベを供給する前に、ボンベが検査済みであることなどについて、ボンベレンタルサーバ２のレンタル情報ＤＢ２４に記録を残す必要があり、具体的には、供給者端末５から前述した供給者４用に設けられたレンタル情報を表示するＷｅｂページにアクセスして所定の項目についてデータ入力を行う。例えば、ボンベが検査済みである旨の入力を行うと、それがレンタル情報ＤＢ２４（図２の例ではｆ部）に反映される。なお、前記酸素濃度や圧力の検査を行うためのセンサを供給者端末５と接続して、検査結果を直接供給者端末５に取り込めるようにしてもよい。この場合には、上記入力作業を軽減することができる。
【００３５】
ボンベの準備が完了すれば、供給者４は、レンタル要求をした患者６にボンベの供給を行うが、希望場所が当該供給者４（営業所等）でない場合には、自宅など希望場所へ配送し、当該供給者４（営業所等）である場合には、患者６が取りにきた時に引き渡す（図３のステップＳ１８）。そして、患者６への供給が完了すれば（図３のステップＳ１９）、供給者４は、供給者端末５から当該レンタル案件についてボンベの引渡が終了した旨の情報を前記レンタル情報ＤＢ２４（図２の例ではｇ部）に記録する（図３のステップＳ２０）。具体的には、上述した検査の情報の入力と同様に、供給者用のＷｅｂページにアクセスして行う。
【００３６】
前記引渡が終了した旨の情報が記録されると、ボンベレンタルサーバ２は、当該レンタル案件について課金の処理を実行する（図３のステップＳ２１）。前述した患者情報ＤＢ２３には、会員患者６毎にレンタル費用の支払に関する情報が収められているため（図２の例ではｄ部など）、その情報に基づいて、今回のレンタルに対する課金の処理が実施される。
【００３７】
以上説明したように、本実施の形態例に係るボンベレンタルシステム１を用いることにより、患者６からのレンタル要求の受付、担当医師８からの承認の取得、及び適切な供給者４へのボンベ供給の指示等が自動で行われるようになり、医療用酸素供給会社等におけるボンベレンタルの業務を効率的にかつ的確に行うことができ、レンタルに対する課金の処理も確実に行われる。また、患者６側にとっても、いつでもレンタル要求ができ、自宅以外の場所でもボンベの提供が受けられるようになるため、利便性が向上する。
【００３８】
本発明の保護範囲は、上記の実施の形態に限定されず、特許請求の範囲に記載された発明とその均等物に及ぶものである。
【００３９】
（付記１）ネットワークを介して、医療用酸素ボンベを使用する患者の患者端末と、前記使用の承認者の承認者端末と、前記医療用酸素ボンベの供給者の供給者端末とに接続され、前記医療用酸素ボンベのレンタルを希望する予め登録された前記患者に対して前記レンタルの手配を行うサーバにおける医療用酸素ボンベのレンタル方法であって、
前記サーバが、前記患者により前記患者端末から前記ネットワークを介して送信される前記医療用酸素ボンベの供給要求に応答して、当該患者が前記予め登録された患者であるか否かを確認する第一のステップと、
当該患者が前記予め登録された患者であることが確認された場合に、前記サーバが、当該患者を担当する前記承認者の承認者端末に、前記供給要求に基づく前記医療用酸素ボンベの供給に対する承認を求める情報を、前記ネットワークを介して送信する第二のステップと、
前記サーバが、前記第二のステップにおける送信に対して前記承認者端末から前記ネットワークを介して返信される前記医療用酸素ボンベの供給を承認する旨の情報に応答して、前記供給要求で指示された供給場所を担当する前記供給者の供給者端末に、前記供給要求に基づく医療用酸素ボンベの供給を指示する情報を送信する第三のステップとを有する
ことを特徴とする医療用酸素ボンベのレンタル方法。
【００４０】
（付記２）付記１において、更に、
前記サーバが、前記供給者端末から送信される前記供給要求に基づく医療用酸素ボンベの供給が完了した旨の情報に応答して、当該医療用酸素ボンベの供給に対する課金の処理を実行するステップを有する
ことを特徴とする医療用酸素ボンベのレンタル方法。
【００４１】
（付記３）付記１あるいは付記２において、
前記患者端末が、携帯電話あるいはパーソナルコンピュータである
ことを特徴とする医療用酸素ボンベのレンタル方法。
【００４２】
（付記４）付記１乃至付記３のいずれかにおいて、
前記第二及び第三のステップにおける前記サーバが行う情報の送信が、
電子メール及びＷｅｂページを用いて行われる
ことを特徴とする医療用酸素ボンベのレンタル方法。
【００４３】
（付記５）在宅酸素療法を受ける患者に医療用酸素ボンベの提供を行う医療用酸素ボンベのレンタル方法であって、
ネットワークを介して互いに接続された、前記患者の患者端末と、前記医療用酸素ボンベの使用に関する承認者の承認者端末と、前記医療用酸素ボンベの供給者の供給者端末と、予め登録された前記患者に対して前記医療用酸素ボンベのレンタルの手配を行うサーバとが備えられ、
前記患者端末が、前記患者の操作により、前記サーバに前記医療用酸素ボンベの供給要求を前記ネットワークを介して送信するステップと、
前記サーバが、前記供給要求に応答して、当該患者が前記予め登録された患者であるか否かを確認するステップと、
当該患者が前記予め登録された患者であることが確認された場合に、前記サーバが、当該患者を担当する前記承認者の承認者端末に、前記供給要求に基づく前記医療用酸素ボンベの供給に対する承認を求める情報を、前記ネットワークを介して送信するステップと、
前記承認者端末が、前記承認を求める情報に応答して、前記承認者の操作により、前記サーバに前記医療用酸素ボンベの供給を承認する旨の情報を前記ネットワークを介して送信するステップと、
前記サーバが、前記承認する旨の情報に応答して、前記供給要求で指示された供給場所を担当する前記供給者の供給者端末に、前記供給要求に基づく医療用酸素ボンベの供給を指示する情報を送信するステップとを有する
ことを特徴とする医療用酸素ボンベのレンタル方法。
【００４４】
（付記６）在宅酸素療法を受ける患者に医療用酸素ボンベの提供を行うためのネットワークを用いた医療用酸素ボンベのレンタルシステムであって、
前記ネットワークを介して互いに接続された、前記患者の患者端末と、前記医療用酸素ボンベの使用に関する承認者の承認者端末と、前記医療用酸素ボンベの供給者の供給者端末と、予め登録された前記患者に対して前記医療用酸素ボンベのレンタルの手配を行うサーバとを有し、
前記患者端末が、前記患者の操作により、前記サーバに前記医療用酸素ボンベの供給要求を前記ネットワークを介して送信し、
前記サーバが、前記供給要求に応答して、当該患者が前記予め登録された患者であるか否かを確認し、
当該患者が前記予め登録された患者であることが確認された場合に、前記サーバが、当該患者を担当する前記承認者の承認者端末に、前記供給要求に基づく前記医療用酸素ボンベの供給に対する承認を求める情報を、前記ネットワークを介して送信し、
前記承認者端末が、前記承認を求める情報に応答して、前記承認者の操作により、前記サーバに前記医療用酸素ボンベの供給を承認する旨の情報を前記ネットワークを介して送信し、
前記サーバが、前記承認する旨の情報に応答して、前記供給要求で指示された供給場所を担当する前記供給者の供給者端末に、前記供給要求に基づく医療用酸素ボンベの供給を指示する情報を送信する
ことを特徴とする医療用酸素ボンベのレンタルシステム。
【００４５】
（付記７）付記６において、
前記医療用酸素ボンベのレンタルシステムが、
更に、前記供給者端末に接続された前記医療用酸素ボンベの検査装置を有し、
前記供給者端末が、前記検査装置における検査結果のデータを受信し、当該検査結果に関する情報を前記サーバに送信する
ことを特徴とする医療用酸素ボンベのレンタルシステム。
【００４６】
（付記８）ネットワークを介して、医療用酸素ボンベを使用する患者の患者端末と、前記使用の承認者の承認者端末と、前記医療用酸素ボンベの供給者の供給者端末とに接続され、前記医療用酸素ボンベのレンタルを希望する予め登録された前記患者に対して前記レンタルの手配を行う医療用酸素ボンベのレンタル用のサーバシステムであって、
前記患者により前記患者端末から前記ネットワークを介して送信される前記医療用酸素ボンベの供給要求に応答して、当該患者が前記予め登録された患者であるか否かを確認し、
当該患者が前記予め登録された患者であることが確認された場合に、当該患者を担当する前記承認者の承認者端末に、前記供給要求に基づく前記医療用酸素ボンベの供給に対する承認を求める情報を、前記ネットワークを介して送信し、
前記承認を求める情報の送信に対して前記承認者端末から前記ネットワークを介して返信される前記医療用酸素ボンベの供給を承認する旨の情報に応答して、前記供給要求で指示された供給場所を担当する前記供給者の供給者端末に、前記供給要求に基づく医療用酸素ボンベの供給を指示する情報を送信する
ことを特徴とする医療用酸素ボンベのレンタル用のサーバシステム。
【００４７】
【発明の効果】
以上、本発明によれば、患者からのレンタル要求の受付、承認を得るための医師等への連絡、及び営業所等への連絡などが自動的に行われ、また、レンタルに関する情報の多くの部分がレンタル手続きの過程でデジタルデータとして記録されるので、前記医療用酸素供給会社等におけるボンベレンタルの業務を効率的にかつ的確に行うことができ、レンタルに対する課金の処理も確実に行われる。また、患者にとっても、担当者に連絡が取れるか否かに関わらずいつでもレンタルの依頼ができ、さらに、希望した場所でボンベの提供が受けられるので、利便性が向上し、特に旅行中などには便利である。
【図面の簡単な説明】
【図１】本発明を適用したボンベレンタルシステムの実施の形態例に係る構成図である。
【図２】患者情報ＤＢ２３及びレンタル情報ＤＢ２４に格納される情報の一例を示した図である。
【図３】本実施の形態例に係るボンベレンタルシステム１におけるレンタル時の処理手順について例示したフローチャートである。
【符号の説明】
１  ボンベレンタルシステム
２  ボンベレンタルサーバ
３  ネットワーク
４  供給者
５  供給者端末
６  患者
７  患者端末
８  医師
９  医師端末
２１  Ｗｅｂサーバ
２２  メールサーバ
２３  患者情報ＤＢ
２４  レンタル情報ＤＢ
【図１】
0004643847.tif 000002
【図２】
0004643847.tif 000003
【図３】
0004643847.tif 000004